【手続補正書】
【提出日】平成26年11月4日(2014.11.4)
【手続補正１】
【補正対象書類名】特許請求の範囲
【補正対象項目名】請求項６
【補正方法】変更
【補正の内容】
【請求項６】
上記カメラ本体の機能は、モード切換およびパラメータ切換を含むことを特徴とする請求項５に記載の撮影システム。
【手続補正２】
【補正対象書類名】明細書
【補正対象項目名】００２２
【補正方法】変更
【補正の内容】
【００２２】
通信部２２は、カメラ本体１０内の通信部１１との間で通信を行う。前述したように、カメラ本体１０からの要求信号を受信した場合には、通信部２２を介して要求信号に応じたレンズ状態信号を送信する。この通信の詳細については、図８および図９を用いて後述する。通信部２２は、レンズユニットにおける操作部に関する情報を送信する送信部としての機能を果たす。また、この送信部は、操作部に関する操作状態以外の情報もカメラ本体１０に対して送信可能である。操作部に関する操作状態以外の情報としては、例えば、撮影レンズ２６の焦点位置および焦点距離の少なくとも一つを示す情報がある。
【手続補正３】
【補正対象書類名】明細書
【補正対象項目名】００２７
【補正方法】変更
【補正の内容】
【００２７】
メモリ２７は、フラッシュメモリ等の不揮発性から構成され、前述したように、制御用のプログラムを記憶している。また、メモリ２７は、後述するレンズ関連付けを行う際に使用する操作部２３の画像を記憶している。この画像は、後述するように、図２（ｂ）に示す操作部画像６Ｌとして使用する。またメモリ２７は、撮影レンズ２６の長焦点側焦点距離、短焦点側焦点距離、開放絞り、光学特性等、種々のデータを記憶している。これらのデータは、レンズユニット２０のカメラ本体１０への装着時、またはカメラ本体１０からの要求信号に応じて、カメラ本体１０に送信する。
【手続補正４】
【補正対象書類名】明細書
【補正対象項目名】００３１
【補正方法】変更
【補正の内容】
【００３１】
レンズ操作判定部１ｂは、通信部２２および通信部１１を介して、レンズユニット２０におけるリング操作部２３ａの操作に関する情報を入力し、操作状態を判定する。例えば、リング操作部２３ａの回転方向、回転量に関する情報を入力し、操作状態の判定を行う。レンズ操作関連付け部１ａによって、リング操作部２３ａがモード処理に関連付けられたとすると、レンズ操作判定部１ｂによって判定されたリング操作部２３ａの回転方向および回転量に応じて、モード処理におけるパラメータの変更を行う。
【手続補正５】
【補正対象書類名】明細書
【補正対象項目名】００３４
【補正方法】変更
【補正の内容】
【００３４】
信号処理及び制御部１内のレンズ操作関連付け部１ａ、レンズ操作判定部１ｂ、タッチ位置判定部１ｃ、および表示制御部１ｄ等によって、関連付け部として機能する。この関連付け部は、受信部として機能する通信部１１を介して受信したレンズユニット２０内の操作部に関する情報を表示部６に表示し、操作部に関する情報をカメラ本体の機能と関連付けを行う。また、関連付け部は、レンズユニット内の操作部に関する情報と、カメラ本体の機能を表示し、ユーザが行う関連付け動作を検知し、この検知結果に基づいて、関連付けを行う。ユーザの行う関連付け動作は、タッチパネル７からの検知信号に基づいて判定する。
【手続補正６】
【補正対象書類名】明細書
【補正対象項目名】００３８
【補正方法】変更
【補正の内容】
【００３８】
通信部５は、後述する接眼ファインダ３０との通信を行う。本実施形態においては、前述したように、接眼ファインダ３０はカメラ本体１０に装着可能であり、装着時または信号処理及び制御部１から要求信号が出力された場合には接眼ファインダ３０内の通信部３２との間で通信を行う。
【手続補正７】
【補正対象書類名】明細書
【補正対象項目名】００５１
【補正方法】変更
【補正の内容】
【００５１】
図２（ａ）〜（ｄ）における関連付けを行うと、操作部画像６Ｌと関連付けられた機能は、関連付結果としてカメラ本体１０からレンズユニット２０に送信される。関連付けられた機能がカメラ本体１０の機能である場合には、カメラ本体１０は設定されたモードやパラメータに基づいて動作する。また関連付けられた機能がレンズユニット２０の機能である場合には、レンズユニット２０は設定されたモードに基づいて動作する。
【手続補正８】
【補正対象書類名】明細書
【補正対象項目名】００６０
【補正方法】変更
【補正の内容】
【００６０】
前述のステップＳ９における判定の結果、撮影モードであった場合には、次に、撮像と画像表示を開始する（Ｓ１１）。ここでは、撮像素子２において被写体像を光電変換し画像データを取得し、表示部６にライブビュー表示を開始する。
【手続補正９】
【補正対象書類名】明細書
【補正対象項目名】００６１
【補正方法】変更
【補正の内容】
【００６１】
撮像と画像表示を開始すると、次に、レンズ通信を行う（Ｓ２１）。ここでは、カメラ本体１０の通信部１１とレンズユニット２０内の通信部２２を介して、各種データや制御信号の通信を行う。例えば、撮影レンズ２６の長焦点側焦点距離、短焦点側焦点距離、開放絞り、光学特性等、種々のデータや、また、レンズ関連付けを行う際に使用する操作部２３の操作部画像６Ｌ等を通信する。レンズ通信の詳細については、図９を用いて後述する。
【手続補正１０】
【補正対象書類名】明細書
【補正対象項目名】００９０
【補正方法】変更
【補正の内容】
【００９０】
ステップＳ８３における判定の結果、決定操作が行われた場合には、次に、下位モードがあるか否かの判定を行う（Ｓ８５）。ステップＳ８３において、下位モードとして露出が選択されると、下位モードがないか、選択された下位モードによっては、さらに下位モードが有る場合がある。そこで、このステップでは、さらに下位モードがあるか否かを判定する。なお、下位のモードとしては、例えば、ズーム操作が、光学ズームか電子ズームか、あるいはフォーカスが粗調か微調かがある。また、モード選択も、アートフィルターモードの下位には、どの画処理を選ぶか、あるいは、その程度やブレンドの有り無しなどが考えられる。さらに、メニューからストロボモードが選択されるような場合には、発光ＯＦＦ、強制発光、セルフタイマー時間の切換え等がある。マルチレコーディング時には、サブ画像の数なども下位のモードで設定可能としてもよい。
【手続補正１１】
【補正対象書類名】明細書
【補正対象項目名】０１００
【補正方法】変更
【補正の内容】
【０１００】
ステップＳ１０３における判定の結果、通信が可能であった場合には、次に、操作部画像の送信を行う（Ｓ１０５）。ここでは、メモリ２７に記憶されているリング操作部２３ａの画像（操作部画像６Ｌに対応する）をカメラ本体１０に送信する。
【手続補正１２】
【補正対象書類名】明細書
【補正対象項目名】０１０１
【補正方法】変更
【補正の内容】
【０１０１】
操作部画像を送信すると、次に、関連付け情報を受信したか否かの判定を行う（Ｓ１０７）。カメラ本体１０は、操作部とアイコン機能を関連付けると、ステップＳ５５（図４参照）において、関連付け情報を送信するので、このステップでは、この情報を受信したか否かを判定する。
【手続補正１３】
【補正対象書類名】明細書
【補正対象項目名】０１０５
【補正方法】変更
【補正の内容】
【０１０５】
次に、レンズ側の通信について、図７に示すフローチャートを用いて説明する。レンズ通信のフローに入ると、まず、レンズ状態の判定を行う（Ｓ１２１）。ここでは、位置検出部２５ａ、２５ｂやリング操作部２３ａ、レンズ操作部２３ｂ等によって、レンズユニット２０内のレンズ位置、絞り口径、リング操作部２３ａの回転状態等、種々のレンズ状態を判定する。
【手続補正１４】
【補正対象書類名】明細書
【補正対象項目名】０１１１
【補正方法】変更
【補正の内容】
【０１１１】
次に、カメラ本体１０とレンズユニット２０の間における信号のやり取りについて図８を用いて説明する。図８（ａ）は、操作部に機能を関連付ける際の信号のやり取りを示す。まず、時刻Ｔ１において、カメラ本体１０でレンズユニット２０の装着を行うか（図３のＳ１）、または機能変更の要求（図３のＳ３５参照）を行うと、時刻Ｔ２において、レンズユニット２０は操作部画像（レンズ画像）の送信を行う（図６のＳ１０５参照）。カメラ本体１０は操作部画像を受信すると、時刻Ｔ３において操作部画像の表示を行う（図４のＳ４３参照）。
【手続補正１５】
【補正対象書類名】明細書
【補正対象項目名】０１２８
【補正方法】変更
【補正の内容】
【０１２８】
次に、操作部の変形例について、図１２ないし図１４を用いて説明する。この操作部の変形例では、リング操作部２３ａ以外に、レンズ操作部２３ｂによっても関連付けを行うようにしている。この変形例は、図１２に示すように、リング操作部２３ａは、レンズユニット２０の鏡筒の周囲を回転自在であると共に、光軸方向に沿って前後に摺動する。すなわち、図１２（ａ）では、リング操作部２３ａは光軸方向の前側にある位置Ａにあり、図１２（ｂ）では、光軸方向の後ろ側にある位置Ｂに位置している。レンズ操作部２３ｂは、位置Ａ、位置Ｂのどちらか一方に位置させるスライド機構であり、図示しないスイッチによって、スライド位置Ａ，Ｂを検出する。